(57)【要約】【課題】ひざまずきながら作業を行っても、作業者のズボンの膝が汚れることがなく、作業者の膝が痛くなり難い作業方法を提供すること。【解決手段】作業者Ｍの一方の膝を、クッション性を有する膝置き台１１及びキャスター１３を具備する膝置き具１における膝置き台１１の上に置いて、ひざまずきながら作業を行う作業方法である。所定の作業範囲を区画可能で且つ折り畳み可能な区画具２を更に用い、区画具２により区画された作業範囲に対して作業を行うことが好ましい。前記作業方法は、路上に付着しているガムを溶剤及びヘラを用いて除去するガム除去方法に好適である。【選択図】図３
2007126765.tif 000002
【特許請求の範囲】
【請求項１】
作業者の一方の膝を、クッション性を有する膝置き台及びキャスターを具備する膝置き具における該膝置き台の上に置いて、ひざまずきながら作業を行う作業方法。
【請求項２】
前記膝置き具を作業者の膝に固定して作業を行う請求項１記載の作業方法。
【請求項３】
前記膝置き具は、それを作業者の膝に括り付けて固定する括り付け具を更に具備している請求項２記載の作業方法。
【請求項４】
所定の作業範囲を区画可能で且つ折り畳み可能な区画具を更に用い、該区画具により区画された作業範囲に対して作業を行う請求項１〜３の何れかに記載の作業方法。
【請求項５】
路上又は床上に付着しているガムを溶剤及びヘラを用いて除去するガム除去方法である請求項１〜４の何れかに記載の作業方法。
【発明の詳細な説明】
【技術分野】
【０００１】
本発明は、路上又は床上（以下単に「路上」というときは「床上」も含むものとする）に付着したガムの除去作業等の、ひざまずきながら行う作業方法に関する。
【背景技術】
【０００２】
路上に付着した（こびり付いた）ガムの除去作業の際には、通常、作業者は、ひざまずきながら、詳細は一方の膝を路上に置き、他方の足裏を路上に着いた状態で屈みこんで作業を行っている（例えば、下記特許文献１参照）。
【０００３】
【特許文献１】特開平１１−４３９１４号公報
【発明の開示】
【発明が解決しようとする課題】
【０００４】
しかし、路上に膝を置くと、作業者のズボンが膝が汚れる。また、作業者は膝をテコの支点のように使って作業するが、作業者自身の体重に加え、路上に付着したガムを除去するために加える力も膝に負荷を与える。更に、膝の形状は路上に対して平らではなく凹凸がある。しかも、路上にも歩行者が滑らないように凹凸があり、また路上は非常に固いものである。このような要因から、ひざまずきながら作業を行うと作業者の膝が痛くなり易かった。
【０００５】
従って、本発明の目的は、ひざまずきながら作業を行っても、作業者のズボンの膝が汚れることがなく、作業者の膝が痛くなり難い作業方法を提供することにある。
【課題を解決するための手段】
【０００６】
本発明は、作業者の一方の膝を、クッション性を有する膝置き台及びキャスターを具備する膝置き具における該膝置き台の上に置いて、ひざまずきながら作業を行う作業方法を提供することにより、上記目的を達成したものである。
【発明の効果】
【０００７】
本発明の作業方法によれば、ひざまずきながら作業を行っても、作業者のズボンの膝が汚れることがなく、作業者の膝が痛くなり難い。
【発明を実施するための最良の形態】
【０００８】
以下、本発明の作業方法について、その好ましい第１実施態様に基づき図面を参照しながら説明する。
第１実施態様の作業方法は、図１に示すクッション性を有する膝置き台１１及びキャスター１３を具備する第１形態の膝置き具１並びに図２に示す所定の作業範囲を区画可能で且つ折り畳み可能な区画具２を用いる。
【０００９】
第１形態の膝置き具１は、図１に示すように、基体１２、基体１２の上部に設けられた膝置き台１１及び基体１２の下部に設けられた３個のキャスター１３からなる。
基体１２は、金属、木材、合成樹脂等からなり、本形態では金属からなる。基体１２の平面視形状は、例えば正方形、長方形、台形、三角形であり、第１形態では略正三角形（各辺が緩く内側に湾曲している）である。
【００１０】
膝置き台１１は、クッション性を有していればその構成に制限はないが、単純な構造で安価な点からクッション材から形成されていることが好ましい。膝置き台１１は、膝置き具１の上面全体に設けられていることが好ましいが、上面の一部のみに設けられていてもよい。
キャスター１３は、基体１２の下部に正三角形の３頂点を形成するように設けられている。キャスター１３の個数、配置等には特に制限はない。
【００１１】
区画具２は、図２に示すように、４本の枠材２１と４個の連結材２２とからなる。枠材２１の端部同士は、連結材２２を介して連結されており、そのため、区画具２は、平面方向に展開（伸張）させると矩形枠状となる。連結材２２の長さは、適宜設定されるが、好ましくは１〜３ｍである。
【００１２】
区画具２の展開形状は、作業範囲を効率的に区画する上で正方形であることが好ましいが、長方形でもよい。枠材２１の個数は、３個又は５個以上でもよい。この場合、区画具２の展開形状は、３角形又は５角形以上となる。
区画具２は、雨やガムの溶剤に対して耐性を有しているものが好ましい。
【００１３】
区画具２の枠材２１は、持ち運びや作業の便宜上、折り畳み可能となっていることが好ましい。折り畳み可能な構造には特に制限はないが、例えば、枠材２１を釣り竿のように蛇腹状に折り畳み可能な構造とすることができる。また、枠材２１自体を紐等のような柔軟な部材から形成して折り畳み可能な構造とすることができる。
枠材２１には、半端な作業範囲の長さを計測できるように目盛りが付されていることが好ましい。目盛りの刻みは適宜設定されるが、例えば５ｃｍ刻み、１０ｃｍ刻み、２０ｃｍ刻みである。
【００１４】
第１実施態様の作業方法は、図３に示すように、作業者Ｍの一方の膝を膝置き具１における膝置き台１１の上に置いて、ひざまずきながら作業を行うものである。具体的には、路上に付着しているガムＧを溶剤及びヘラ３を用いて除去するガム除去方法である。必要に応じてガムＧの除去後の路上を洗浄するための雑巾やバケツ等も用いることができる。作業の際には、複数の区画具２を用いて、作業範囲を区画することが好ましい。
【００１５】
第１実施態様の作業方法によれば、作業者Ｍの一方の膝を、膝置き具１におけるクッション性を有する膝置き台１１の上に置いて作業を行うため、ひざまずきながら作業を行っても、作業者Ｍのズボンの膝が汚れることがなく、作業者Ｍの膝が痛くなり難い。
作業位置を変えるために立ち上がるときや、ガムＧの除去のときには、作業者Ｍの膝に特に力が掛かるが、このような場合にも、膝置き具１に加わる力は、クッション性を有する膝置き台１１により吸収されるため、作業者Ｍの膝が痛くなり難い。
【００１６】
膝置き具１にキャスター１３が設けられているため、膝置き具１の移動、延いては作業者Ｍの移動が容易である。
膝置き具１の平面視形状が、略三角形であると、傾斜した路上にも柔軟に対応することができ、また衝撃に対する強度が高い。
【００１７】
更に、第１実施態様の作業方法においては、所定の作業範囲を区画可能で且つ折り畳み可能な区画具２を用い、区画具２により区画された作業範囲に対して作業を行うため、以下の効果（イ）〜（ハ）が奏される。
（イ）作業範囲を区画する方法としてチョークで線を引くことが考えられるが、それでは作業後にチョークの線を消去する必要があるため作業が煩雑である。これに対し、第１実施態様の作業方法によれば、展開した区画具２を路上に載置するだけで作業範囲を区画することができると共に、作業後には区画具２を作業範囲からどかすだけでよいため、作業範囲の区画作業が簡便である。
【００１８】
（ロ）ガム除去のような路上清掃の請負作業の費用は、通常、作業範囲の広さに応じて決まるため、作業範囲の面積を計測する必要があるが、区画具２を用いれば、それを路上に載置するだけで簡便に作業範囲の面積を計測することができ、便利である。区画具２に目盛りが付されていると、半端な面積も容易に計測可能である。
（ハ）路上清掃等の作業時には、作業済の範囲と未作業の範囲とを区別することが必要であるが、区画具２を用いれば、作業済の範囲と未作業の範囲とを容易に区別することができる。
【００１９】
次に第２形態の膝置き具１について説明する。第２形態の膝置き具１は、図１に示す第１形態の膝置き具１に比して、膝置き具１を作業者の膝に括り付けて固定する括り付け具４を更に具備している点、及び平面視形状が長方形である点が主として異なる。第２形態の膝置き具１については、第１形態の膝置き具１とは異なる点を中心に説明し、同じ点の説明を省略する。従って、第２形態の膝置き具１については、第１形態の膝置き具１についての説明が適宜される。
【００２０】
第２形態の膝置き具１は、図４に示すように、基体１２、基体１２の上部に設けられた膝置き台１１、基体１２の下部に設けられた３個のキャスター１３及び基体１２に設けられた括り付け具４からなる。
基体１２は、長方形の平面視形状を有している。膝置き台１１も、基体１２と同じく長方形の平面視形状を有している。
キャスター１３は、基体１２の下部における前方の幅方向中央に１個、長手方向中央の幅方向外方に２個設けられている。
【００２１】
括り付け具４は、膝置き具１を作業者の膝に括り付けて固定可能なものであれば制限はなく、例えばベルト、紐等を主体として構成されている。第２形態では、ベルト４１を主体として構成されている。膝置き具１の固定位置としての「膝」は、膝自体だけでなく、膝近傍も含む。
括り付け具４は、基体１２の下部における、前方の幅方向外方及び後方の幅方向外方にそれぞれ幅方向外方に延出するように１個ずつ設けられている。
【００２２】
右側に延出する２本のベルト４１の先端部上面には、マジックテープ（登録商標）等の機械的面ファスナーのオス材４２が設けられている。左側に延出する２本のベルト４１の先端部下面には、機械的面ファスナーのメス材４３が設けられている。そして、図５に示すように、ベルト４１の先端部の機械的面ファスナーのオス材４２及びメス材４３を係合させることにより、膝置き具１を作業者Ｍの膝に括り付けて固定することができる。
【００２３】
ファスナーは、機械的面ファスナーに制限されず、フック状のファスナー、粘着剤からなるファスナー等を用いることができる。括り付け具４が紐から構成されている場合には、それを縛れば括り付けることができ、ファスナーは必ずしも必要ない。
【００２４】
第２実施態様の作業方法によれば、図６に示すように、第２形態の膝置き具１を作業者Ｍの膝に固定した状態で、作業者Ｍの膝を膝置き台１１の上に置いてひざまずきながら作業を行うことができる。
第２形態の膝置き具１のような、作業者Ｍの膝に括り付けて固定する膝置き具１を用いて、膝置き具１を作業者Ｍの膝に固定して作業を行うと、作業者Ｍの膝の移動に伴って膝置き具１も移動させることができるため、作業効率が一段と向上する。
【００２５】
本発明の作業方法は、前述した実施態様に制限されることなく、本発明の趣旨を逸脱しない限り、適宜変更が可能である。
本発明の作業方法は、路上に付着しているガムの除去方法に制限されず、その他のひざまずきながら行う作業方法に適宜適用可能である。例えば、路上の清掃、路上の工事、床上の清掃、床の工事、新聞雑誌等の梱包、写真撮影に適用可能である。
区画具は、必ずしも用いなくてもよい。膝置き具には、括り付け具は必ずしも必要ない。
【図面の簡単な説明】
【００２６】
【図１】図１は、本発明の作業方法の第１実施態様に用いられる第１形態の膝置き具を示す斜視図である。
【図２】図２は、本発明の作業方法の第１実施態様に用いられる区画具を示す平面図である。
【図３】図３は、本発明の作業方法の第１実施態様を示す斜視図である。
【図４】図４は、本発明の作業方法の第２実施態様に用いられる第２形態の膝置き具を示す図で、（ａ）は斜視図、（ｂ）は底面図である。
【図５】図５は、第２形態の膝置き具を作業者の膝に括り付けて固定した状態を示す斜視図である。
【図６】図６は、本発明の作業方法の第２実施態様を示す斜視図である。
【符号の説明】
【００２７】
１  膝置き具
１１  膝置き台
１２  基体
１３  キャスター
２  区画具
３  ヘラ
４  括り付け具
【図１】
2007126765.tif 000003
【図２】
2007126765.tif 000004
【図３】
2007126765.tif 000005
【図４】
2007126765.tif 000006
【図５】
2007126765.tif 000007
【図６】
2007126765.tif 000008